(57)【要約】【課題】弾性的に常時基板の周縁部に当接して、基板の回転を防止することができる基板収納容器を提供すること。【解決手段】基板収納容器は、容器本体と、蓋体３と、基板係合部７１、７２、７３、７４、７６とを備える。基板係合部７１、７２、７３、７４、７６は、壁部又は蓋体３と、基板収納空間２７に収納された基板Ｗの縁部と、の間で弾性変形可能である。また、基板係合部７１、７２、７３、７４、７６は、基板Ｗに形成され基板Ｗの周方向における基板Ｗの方向を示す方向認識部Ｗ１１に係合可能である。【選択図】図４
2016149492.tif 000002
【特許請求の範囲】
【請求項１】
一端部に容器本体開口部が形成され他端部が閉塞された筒状の壁部を備え、前記壁部の内面によって、複数の基板を収納可能であり前記容器本体開口部に連通する基板収納空間が形成された容器本体と、
前記容器本体開口部に対して着脱可能であり、前記容器本体開口部を閉塞可能であり、前記容器本体開口部が閉塞されているときに前記基板収納空間に対向する蓋体と、
前記壁部又は前記蓋体と、前記基板収納空間に収納された前記基板の縁部と、の間で弾性変形可能であり、前記基板に形成され前記基板の周方向における前記基板の方向を示す方向認識部に係合可能な基板係合部と、を備える基板収納容器。
【請求項２】
前記基板係合部は、
弾性変形可能であり、前記蓋体の部分であって前記蓋体によって前記容器本体開口部が閉塞されているときに前記基板収納空間に対向する部分に配置される蓋体側基板支持部であって、前記蓋体によって前記容器本体開口部が閉塞されているときに、前記複数の基板の縁部を支持可能な蓋体側基板支持部と、
前記蓋体側基板支持部に存在し、前記方向認識部に係合する基板位置決め当接部と、を有する請求項１に記載の基板収納容器。
【請求項３】
前記蓋体側基板支持部は、前記基板の周方向における少なくとも前記基板の周縁部の２箇所において、前記基板の周縁部を支持し、
前記基板位置決め当接部は、前記基板の周方向における、前記基板の周縁部の２箇所を支持する前記蓋体側基板支持部の間の中央部位置に存在する請求項２に記載の基板収納容器。
【請求項４】
前記蓋体の部分であって前記蓋体によって前記容器本体開口部が閉塞されているときに前記基板収納空間に対向する部分に配置され、前記蓋体によって前記容器本体開口部が閉塞されているときに、前記複数の基板の縁部を支持可能な蓋体側基板支持部を備え、
前記基板係合部は、
弾性変形可能であり前記基板収納空間内において前記蓋体側基板支持部と対をなすように配置され、前記複数の基板の縁部を支持可能であり、前記蓋体によって前記容器本体開口部が閉塞されているときに前記蓋体側基板支持部と協働して、前記複数の基板を並列させた状態で、前記複数の基板を支持する奥側基板支持部と、
前記奥側基板支持部に存在し、前記方向認識部に係合する基板位置決め当接部と、を有する請求項１に記載の基板収納容器。
【請求項５】
前記奥側基板支持部は、前記基板の周方向における少なくとも前記基板の周縁部の２箇所において、前記基板の周縁部を支持し、
前記基板位置決め当接部は、前記基板の周方向における、前記基板の周縁部の２箇所を支持する前記奥側基板支持部の間の中央部位置に存在する請求項４に記載の基板収納容器。
【請求項６】
前記基板係合部は、弾性変形可能であり前記壁部に固定され前記方向認識部に係合する基板位置決め当接部を有する請求項１に記載の基板収納容器。
【請求項７】
前記方向認識部は、前記基板の周縁の一部に形成されたノッチ部により構成され、
前記基板位置決め当接部は、前記ノッチ部に係合する凸部により構成されている請求項２〜請求項６のいずれかに記載の基板収納容器。
【請求項８】
前記方向認識部は、前記基板の周縁の一部が直線状に形成されて構成される直線状縁部により構成され、
前記基板位置決め当接部は、前記直線状縁部に係合する直線状縁部当接部により構成されている請求項２〜請求項６のいずれかに記載の基板収納容器。
【発明の詳細な説明】
【技術分野】
【０００１】
本発明は、半導体ウェーハ等からなる基板を収納、保管、搬送、輸送等する際に使用される基板収納容器に関する。
【背景技術】
【０００２】
半導体ウェーハからなる基板を収納して、ウェーハメーカーからデバイスメーカーへウェーハの搬送（出荷）を行うための基板収納容器としては、容器本体と蓋体とを備える構成のものが、従来より知られている。
【０００３】
容器本体は、一端部に容器本体開口部が形成され、他端部が閉塞された筒状の壁部を有する。容器本体内には基板収納空間が形成されている。基板収納空間は、壁部により取り囲まれて形成されており、複数の基板を収納可能である。蓋体は、容器本体開口部に対して着脱可能であり、容器本体開口部を閉塞可能である。
【０００４】
蓋体の部分であって容器本体開口部を閉塞しているときに基板収納空間に対向する部分には、リテーナが設けられている。リテーナは、蓋体によって容器本体開口部が閉塞されているときに、複数の基板の前側の周縁部を支持可能である。また、リテーナと対をなすようにして、基板を載置するための基板載置部が設けられた基板支持部材が壁部に設けられている。この基板支持部材の奥には、奥側基板支持部が設けられている。この奥側基板支持部は、基板支持部材と一体的に形成されているものだけでなく、別体として形成されていてもよい。奥側基板支持部は、複数の基板の奥側の周縁部を支持可能である。
【０００５】
基板収納容器に基板を収納して搬送、輸送等する際には、振動や衝撃により基板が回転し、奥側基板支持部等の基板を支持する部材が摩耗したり、摩擦により発塵したりすることが考えられる。そこで、蓋体と一体成形された回転防止部を、基板に形成されたノッチ部に係合させて、基板の回転を抑制しようとする構成が知られている（特許文献１参照）。
【先行技術文献】
【特許文献】
【０００６】
【特許文献１】特開２００５−５３９６号公報
【発明の概要】
【発明が解決しようとする課題】
【０００７】
しかし、上記公報記載の基板収納容器では、回転防止部を、実際には、常時ノッチ部に当接させて係合させることはできず、回転防止部とノッチ部との間には、僅かな隙間が形成される。基板のノッチ部の部分は、基板の結晶の方向の目印になっているため、回転防止部が強くノッチ部に当接すると、基板のノッチ部の部分の破損を生じさせることになるからである。
【０００８】
本発明は、弾性的に常時基板の周縁部に当接して、基板の回転を防止することができる基板収納容器を提供することを目的とする。
【課題を解決するための手段】
【０００９】
本発明は、一端部に容器本体開口部が形成され他端部が閉塞された筒状の壁部を備え、前記壁部の内面によって、複数の基板を収納可能であり前記容器本体開口部に連通する基板収納空間が形成された容器本体と、前記容器本体開口部に対して着脱可能であり、前記容器本体開口部を閉塞可能であり、前記容器本体開口部が閉塞されているときに前記基板収納空間に対向する蓋体と、前記壁部又は前記蓋体と、前記基板収納空間に収納された前記基板の縁部と、の間で弾性変形可能であり、前記基板に形成され前記基板の周方向における前記基板の方向を示す方向認識部に係合可能な基板係合部と、を備える基板収納容器に関する。
【００１０】
また、前記基板係合部は、弾性変形可能であり、前記蓋体の部分であって前記蓋体によって前記容器本体開口部が閉塞されているときに前記基板収納空間に対向する部分に配置される蓋体側基板支持部であって、前記蓋体によって前記容器本体開口部が閉塞されているときに、前記複数の基板の縁部を支持可能な蓋体側基板支持部と、前記蓋体側基板支持部に存在し、前記方向認識部に係合する基板位置決め当接部と、を有することが好ましい。
【００１１】
また、前記蓋体側基板支持部は、前記基板の周方向における少なくとも前記基板の周縁部の２箇所において、前記基板の周縁部を支持し、前記基板位置決め当接部は、前記基板の周方向における、前記基板の周縁部の２箇所を支持する前記蓋体側基板支持部の間の中央部位置に存在することが好ましい。
【００１２】
また、前記蓋体の部分であって前記蓋体によって前記容器本体開口部が閉塞されているときに前記基板収納空間に対向する部分に配置され、前記蓋体によって前記容器本体開口部が閉塞されているときに、前記複数の基板の縁部を支持可能な蓋体側基板支持部を備え、前記基板係合部は、弾性変形可能であり前記基板収納空間内において前記蓋体側基板支持部と対をなすように配置され、前記複数の基板の縁部を支持可能であり、前記蓋体によって前記容器本体開口部が閉塞されているときに前記蓋体側基板支持部と協働して、前記複数の基板を並列させた状態で、前記複数の基板を支持する奥側基板支持部と、前記奥側基板支持部に存在し、前記方向認識部に係合する基板位置決め当接部と、を有することが好ましい。
【００１３】
また、前記奥側基板支持部は、前記基板の周方向における少なくとも前記基板の周縁部の２箇所において、前記基板の周縁部を支持し、前記基板位置決め当接部は、前記基板の周方向における、前記基板の周縁部の２箇所を支持する前記奥側基板支持部の間の中央部位置に存在することが好ましい。
【００１４】
また、前記基板係合部は、弾性変形可能であり前記壁部に固定され前記方向認識部に係合する基板位置決め当接部を有することが好ましい。
【００１５】
また、前記方向認識部は、前記基板の周縁の一部に形成されたノッチ部により構成され、前記基板位置決め当接部は、前記ノッチ部に係合する凸部により構成されていることが好ましい。
【００１６】
また、前記方向認識部は、前記基板の周縁の一部が直線状に形成されて構成される直線状縁部により構成され、前記基板位置決め当接部は、前記直線状縁部に係合する直線状縁部当接部により構成されていることが好ましい。
【発明の効果】
【００１７】
本発明によれば、弾性的に常時基板の周縁部に当接して、基板の回転を防止することができる基板収納容器を提供することを目的とする。
【図面の簡単な説明】
【００１８】
【図１】本発明の第１実施形態に係る基板収納容器１に基板Ｗが収納された様子を示す分解斜視図である。
【図２】本発明の第１実施形態に係る基板収納容器１のリテーナ７を示す斜視図である。
【図３】本発明の第１実施形態に係る基板収納容器１のリテーナ７を示す正面図である。
【図４】本発明の第１実施形態に係る基板収納容器１のリテーナ７の板状凸部７６がノッチ部Ｗ１１に係合している様子を示す断面図である。
【図５】本発明の第２実施形態に係る基板収納容器のリテーナ７Ａの直方体凸部７６Ａがオリフラ部Ｗ１１Ａに当接して係合している様子を示す断面図である。
【図６】本発明の第３実施形態に係る基板収納容器の奥壁凸部２２１Ｂがノッチ部Ｗ１１に係合している様子を示す概略断面図である。
【図７】本発明の第４実施形態に係る基板収納容器１Ｃのリテーナ８の板状凸部８６がノッチ部Ｗ１１に係合している様子を示す正面図である。
【発明を実施するための形態】
【００１９】
以下、本発明による基板収納容器１について、図面を参照しながら説明する。図１は、本発明の第１実施形態に係る基板収納容器１に基板Ｗが収納された様子を示す分解斜視図である。図２は、本発明の第１実施形態に係る基板収納容器１のリテーナ７を示す斜視図である。図３は、本発明の第１実施形態に係る基板収納容器１のリテーナ７を示す正面図である。図４は、本発明の第１実施形態に係る基板収納容器１のリテーナ７の板状凸部７６がノッチ部Ｗ１１に係合している様子を示す断面図である。
【００２０】
ここで、説明の便宜上、後述の容器本体２から蓋体３へ向かう方向（図１における右上から左下へ向かう方向）を前方向Ｄ１１と定義し、その反対の方向を後方向（奥方向）Ｄ１２と定義し、これらを併せて前後方向Ｄ１と定義する。また、後述の下壁２４から上壁２３へと向かう方向（図１における上方向）を上方向Ｄ２１と定義し、その反対の方向を下方向Ｄ２２と定義し、これらを併せて上下方向Ｄ２と定義する。また、後述する第２側壁２６から第１側壁２５へと向かう方向（図１における右下から左上へ向かう方向）を左方向Ｄ３１と定義し、その反対の方向を右方向Ｄ３２と定義し、これらを併せて左右方向Ｄ３と定義する。
【００２１】
また、基板収納容器１に収納される基板Ｗ（図１参照）は、円盤状のシリコンウェーハ、ガラスウェーハ、サファイアウェーハ等であり、産業に用いられる薄いものである。本実施形態における基板Ｗは、直径３００ｍｍ〜４５０ｍｍのシリコンウェーハである。基板Ｗは、基板Ｗの結晶の方向の目印である、方向認識部としての基板Ｗの周縁の一部に形成されたノッチ部Ｗ１１を有している。
【００２２】
図１に示すように、基板収納容器１は、基板Ｗを収納して、工場内の工程において搬送する工程内容器として用いられたり、陸運手段、空輸手段、海運手段等の輸送手段により基板Ｗを輸送するための出荷用基板収納容器として用いられたりするものであり、容器本体２と、蓋体３と、側方基板支持部材５と、側方基板支持部材５の奥側に一体的に形成された基板奥側縁部支持部（図示せず）と、蓋体側基板支持部及び基板係合部としてのリテーナ７（図４等）とを有している。
【００２３】
容器本体２は、一端部に容器本体開口部２１が形成され、他端部が閉塞された筒状の壁部２０を有する。容器本体２内には基板収納空間２７が形成されている。基板収納空間２７は、壁部２０により取り囲まれて形成されている。壁部２０の部分であって基板収納空間２７を形成している部分には、側方基板支持部材５が配置されている。基板収納空間２７には、図１に示すように、複数の基板Ｗを収納可能である。
【００２４】
側方基板支持部材５は、基板収納空間２７内にリテーナ７（図４参照）と対をなすように壁部２０に設けられている。側方基板支持部材５は、蓋体３によって容器本体開口部２１が閉塞されていないときに、基板Ｗを載置するための基板載置部５０１と、基板載置部５０１の奥側に形成された基板Ｗの周縁部に当接する基板奥側縁部支持部（図示せず）と、により、隣接する基板Ｗ同士を所定の間隔で離間させて並列させた状態で、複数の基板Ｗを支持可能である。基板載置部５０１には、基板載置部５０１の上面の前側に形成された前側載置突起（図示せず）と、基板載置部５０１の上面の奥側で基板奥側縁部支持部（図示せず）の前側の近傍位置に形成された奥側載置部（図示せず）が設けられている。基板Ｗは、前側載置突起と奥側載置部に載置されて支持される。
【００２５】
基板奥側縁部支持部（図示せず）は、蓋体３によって容器本体開口部２１が閉塞されているときに、複数の基板Ｗの周縁部に当接することにより、複数の基板Ｗの周縁部の後部を支持可能である。
【００２６】
蓋体３は、容器本体開口部２１を形成する開口周縁部２８に対して着脱可能であり、基板収納空間２７に対向した状態で容器本体開口部２１を閉塞可能である。リテーナ７は、蓋体３の部分であって蓋体３によって容器本体開口部２１が閉塞されているときに基板収納空間２７に対向する部分（図１に示す蓋体３の裏側）に設けられている。リテーナ７は、基板収納空間２７の内部において側方基板支持部材５と対をなすように配置されている。
【００２７】
リテーナ７は、蓋体３によって容器本体開口部２１が閉塞されているときに、複数の基板Ｗの周縁部に当接することにより複数の基板Ｗの周縁部の前部を支持可能である。リテーナ７は、蓋体３によって容器本体開口部２１が閉塞されているときに、側方基板支持部材５の基板奥側縁部支持部（図示せず）と共働して複数の基板Ｗを支持することにより、隣接する基板Ｗ同士を所定の間隔で離間させて並列させた状態で、複数の基板Ｗを保持する。
【００２８】
基板収納容器１は、プラスチック材等の樹脂で構成されており、特に説明が無い場合には、その材料の樹脂としては、例えば、ポリカーボネート、シクロオレフィンポリマー、ポリエーテルイミド、ポリエーテルケトン、ポリブチレンテレフタレート、ポリエーテルエーテルケトン、液晶ポリマーといった熱可塑性樹脂やこれらのアロイ等が上げられる。特に、リテーナ７は、基板Ｗを保持する際に、ある程度の弾性が必要であるので、ポリブチレンテレフタレート、ポリエステルエラストマーやポリエーテルエーテルケトンなどを用いることができる。これらの成形材料の樹脂には、導電性を付与する場合には、カーボン繊維、カーボンパウダー、カーボンナノチューブ、導電性ポリマー等の導電性物質が選択的に添加される。
【００２９】
以下、各部について、詳細に説明する。
図１等に示すように、容器本体２の壁部２０は奥壁２２と上壁２３と下壁２４と第１側壁２５と第２側壁２６とを有する。奥壁２２、上壁２３、下壁２４、第１側壁２５、第２側壁２６は、上述した材料により構成されており、一体成形されて構成されている。
【００３０】
第１側壁２５と第２側壁２６とは対向しており、上壁２３と下壁２４とは対向している。上壁２３の奥端、下壁２４の奥端、第１側壁２５の奥端、及び第２側壁２６の奥端は、全て奥壁２２に接続されている。上壁２３の前端、下壁２４の前端、第１側壁２５の前端、及び第２側壁２６の前端は、奥壁２２に対向する位置関係を有し、略長方形状をした容器本体開口部２１を形成する開口周縁部２８を構成する。
【００３１】
開口周縁部２８は、容器本体２の一端部に設けられており、奥壁２２は、容器本体２の他端部に位置している。壁部２０の外面により形成される容器本体２の外形は箱状である。壁部２０の内面、即ち、奥壁２２の内面、上壁２３の内面、下壁２４の内面、第１側壁２５の内面、及び第２側壁２６の内面は、これらによって取り囲まれた基板収納空間２７を形成している。開口周縁部２８に形成された容器本体開口部２１は、壁部２０により取り囲まれて容器本体２の内部に形成された基板収納空間２７に連通している。基板収納空間２７には、最大で２５枚の基板Ｗを収納可能である。
【００３２】
図１に示すように、上壁２３の部分であって、開口周縁部２８の近傍の部分には、上方向Ｄ２１へ向かって窪んだ上側ラッチ係合凹部４０Ａ、４０Ｂが形成されている。また、下壁２４の部分であって、開口周縁部２８の近傍の部分には、下方向Ｄ２２へ向かって窪んだ下側ラッチ係合凹部４１Ａ、４１Ｂが形成されている。上側ラッチ係合凹部４０Ａ、４０Ｂは、上壁２３の左右両端部近傍に１つずつ形成されており、下側ラッチ係合凹部４１Ａ、４１Ｂは、下壁２４の左右両端部近傍に１つずつ形成されている。従って、上側ラッチ係合凹部４０Ａ、４０Ｂ、及び、下側ラッチ係合凹部４１Ａ、４１Ｂは、計４つ形成されている。
【００３３】
図１に示すように、上壁２３の外面においては、リブ２３１が、上壁２３と一体成形されて設けられている。リブ２３１は、容器本体２の剛性を高めるために設けられている。
【００３４】
また、上壁２３の中央部には、トップフランジ２３２が固定される。トップフランジ２３２は、ＡＭＨＳ（自動ウェーハ搬送システム）、ＰＧＶ（ウェーハ基板搬送台車）等において基板収納容器１を吊り下げる際に、基板収納容器１において掛けられて吊り下げられる部分となる部材である。
【００３５】
図１等に示すように、蓋体３は、容器本体２の開口周縁部２８の形状と略一致する略長方形状を有している。蓋体３は容器本体２の開口周縁部２８に対して着脱可能であり、開口周縁部２８に蓋体３が装着されることにより、蓋体３は、容器本体開口部２１を閉塞可能である。蓋体３の内面であって、蓋体３が容器本体開口部２１を閉塞しているときの開口周縁部２８のすぐ後方向の位置に形成された段差の部分の面（シール面２０１）に対向する面には、環状のシール部材４が取り付けられている。シール部材４は、弾性変形可能なポリエステル系、ポリオレフィン系など各種熱可塑性エラストマー、フッ素ゴム製、シリコンゴム製等により構成されている。シール部材４は、蓋体３の外周縁部を一周するように配置されている。
【００３６】
蓋体３が開口周縁部２８に装着されたときに、シール部材４は、シール面２０１と蓋体３の内面とにより挟まれて弾性変形し、蓋体３は、容器本体開口部２１を密閉した状態で閉塞する。開口周縁部２８から蓋体３が取り外されることにより、容器本体２内の基板収納空間２７に対して、基板Ｗを出し入れ可能となる。
【００３７】
蓋体３においては、ラッチ機構が設けられている。ラッチ機構は、蓋体３の左右両端部近傍に設けられており、図１に示すように、蓋体３の上辺から上方向へ突出可能な２つの上側ラッチ部３２Ａ、３２Ｂと、蓋体３の下辺から下方向へ突出可能な２つの下側ラッチ部（図示せず）と、を備えている。２つの上側ラッチ部３２Ａ、３２Ｂは、蓋体３の上辺の左右両端近傍に配置されており、２つの下側ラッチ部は、蓋体３の下辺の左右両端近傍に配置されている。
【００３８】
図１に示すように蓋体３の外面においては操作部３４が設けられている。操作部３４を蓋体３の前側から操作することにより、上側ラッチ部３２Ａ、３２Ｂ、下側ラッチ部（図示せず）を蓋体３の上辺、下辺から突出させることができ、また、上辺、下辺から突出させない状態とすることができる。上側ラッチ部３２Ａ、３２Ｂが蓋体３の上辺から上方向へ突出して、容器本体２の上側ラッチ係合凹部４０Ａ、４０Ｂに係合し、且つ、下側ラッチ部（図示せず）が蓋体３の下辺から下方向へ突出して、容器本体２の下側ラッチ係合凹部４１Ａ、４１Ｂに係合することにより、蓋体３は、容器本体２の開口周縁部２８に固定される。
【００３９】
蓋体３の内側（図１に示す蓋体３の裏側）においては、基板収納空間２７の外方（前方向Ｄ１１）へ窪んだ凹部（図示せず）が形成されている。凹部の部分には、リテーナ７の縦枠体７１に係合するリテーナ被係合部３５１（図４参照）が存在しており、蓋体３の凹部（図示せず）にリテーナ７が取り外し可能に固定されている。
【００４０】
図２〜図４に示すように、基板係合部としてのリテーナ７は、縦枠体７１と、リテーナ脚部７２と、リテーナ基板受け部７３と、接続部７４と、基板位置決め当接部としての板状凸部７６とを有している。縦枠体７１、リテーナ脚部７２、リテーナ基板受け部７３、及び、接続部７４は、蓋体側基板支持部を構成する。
【００４１】
蓋体側基板支持部（縦枠体７１、リテーナ脚部７２、リテーナ基板受け部７３、及び、接続部７４）は、弾性変形可能であり、蓋体３の部分であって蓋体３によって容器本体開口部２１が閉塞されているときに基板収納空間２７に対向する部分に配置される。蓋体側基板支持部（縦枠体７１、リテーナ脚部７２、リテーナ基板受け部７３、及び、接続部７４）は、蓋体３によって容器本体開口部２１が閉塞されているときに、複数の基板Ｗの縁部を支持可能である。また、基板位置決め当接部としての板状凸部７６は、蓋体側基板支持部としての接続部７４に存在し、方向認識部としてのノッチ部Ｗ１１に係合する。
【００４２】
具体的には、リテーナ７は、上下方向Ｄ２で見て図４に示すような形状を有しており、縦枠体７１、リテーナ脚部７２、及びリテーナ基板受け部７３は、弾性変形可能な樹脂により一体成形され、互いに接続されている。即ち、縦枠体７１は、左方向Ｄ３１側のリテーナ７の端部及び右方向Ｄ３２側のリテーナ７の端部において、上下方向Ｄ２に沿って平行に延びている。
【００４３】
左方向Ｄ３１側のリテーナ脚部７２は、左方向Ｄ３１側の縦枠体７１から右方向Ｄ３２に沿ってやや後方向Ｄ１２に延びる。続いて、左方向Ｄ３１側のリテーナ脚部７２は、途中で湾曲してほぼ後方向Ｄ１２に沿って延びる。続いて、左方向Ｄ３１側のリテーナ脚部７２は、後方向Ｄ１２側の端部で右方向Ｄ３２に屈曲する。そして、左方向Ｄ３１側のリテーナ脚部７２は、その先端部において、左方向Ｄ３１側のリテーナ基板受け部７３の左方向Ｄ３１側の端部に接続されている。
【００４４】
左方向Ｄ３１側のリテーナ脚部７２は、特に途中の湾曲部において、弾性変形部７２１を構成する。この弾性変形部７２１は、リテーナ基板受け部７３が蓋体３の内側の面に対して接近する方向（前方向Ｄ１１）に外力を受けるときに、その外力に応じて弾性変形することによりリテーナ基板受け部７３、及び、後述の板状凸部７６を変位させることが可能である。
【００４５】
一方、右方向Ｄ３２側のリテーナ脚部７２は、右方向Ｄ３２側の縦枠体７１から左方向Ｄ３１に沿ってやや後方向Ｄ１２に延びる。続いて、右方向Ｄ３２側のリテーナ脚部７２は、途中で湾曲してほぼ後方向Ｄ１２に沿って延びる。続いて、右方向Ｄ３２側のリテーナ脚部７２は、後方向Ｄ１２側の端部で左方向Ｄ３１に屈曲する。そして、右方向Ｄ３２側のリテーナ脚部７２は、その先端部において、右方向Ｄ３２側のリテーナ基板受け部７３の右方向Ｄ３２側の端部に接続されている。
【００４６】
右方向Ｄ３２側のリテーナ脚部７２は、特に途中の湾曲部において、左方向Ｄ３１側のリテーナ脚部７２における特に途中の湾曲部と同様に、弾性変形部７２１を構成する。この弾性変形部７２１は、リテーナ基板受け部７３が蓋体３の内側の面に対して接近する方向（前方向Ｄ１１）に外力を受けるときに、その外力に応じて弾性変形することによりリテーナ基板受け部７３、後述の板状凸部７６を変位させることが可能である。
従って、蓋体側基板支持部としてのリテーナ基板受け部７３は、蓋体３の内側の面から後方向Ｄ１２に所定の間隔を置いた位置に配置されており、基板Ｗの周方向における基板Ｗの周縁部の２箇所において、基板Ｗの周縁部を支持する。
【００４７】
左方向Ｄ３１側のリテーナ基板受け部７３の右方向Ｄ３２側の端部と、右方向Ｄ３２側のリテーナ基板受け部７３の左方向Ｄ３１側の端部とは、接続部７４によって互いに接続されている。
接続部７４は、左方向Ｄ３１側のリテーナ基板受け部７３の右方向Ｄ３２側の端部に接続された左方向Ｄ３１側の端部から、すぐに前方向Ｄ１１に屈曲してほぼ前方向Ｄ１１に沿って延びる。続いて、接続部７４は、蓋体３の内側の面から後方向Ｄ１２にまだ間隔を置いた位置で屈曲してほぼ右方向Ｄ３２に沿って延びる。続いて、接続部７４は、再び屈曲してほぼ後方向Ｄ１２に沿って延びる。そして、接続部７４は、その先端部において、ほぼ右方向Ｄ３２に屈曲して右方向Ｄ３２側のリテーナ基板受け部７３の左方向Ｄ３１側の端部に接続されている。
【００４８】
左右方向Ｄ３における接続部７４の中央には、基板位置決め当接部としての板状凸部７６が存在する。板状凸部７６は、基板Ｗの周方向における、基板Ｗの周縁部の２箇所を支持するリテーナ基板受け部７３の間の中央部位置に存在する。
【００４９】
具体的には、板状凸部７６は、縦枠体７１、リテーナ脚部７２、リテーナ基板受け部７３、及び、接続部７４と同一の材料により構成されており、略楔形状を有しており、接続部７４と一体成形されている。板状凸部７６は、図４に示すように、接続部７４から、リテーナ基板受け部７３によって支持される基板Ｗの中心へ向って延出しており、板状凸部７６の延出端部（先端部）は、基板Ｗの周縁よりも、基板Ｗの中心寄りに位置している。このため、基板Ｗの周縁から基板Ｗの中心へ向って窪む形状を有するノッチ部Ｗ１１に、板状凸部７６の延出端部（先端部）は、係合可能である。
【００５０】
接続部７４は、弾性変形部７４１を構成する。即ち、接続部７４は、左右方向Ｄ３における接続部７４の両側部において、蓋体３の内面から後方向Ｄ１２へ延びる一対のガイド壁３０２にそれぞれ当接した状態でガイドされて、前後方向Ｄ１へ変位可能である。そして、接続部７４は、リテーナ基板受け部７３が蓋体３の内側の面に対して接近する方向（前方向Ｄ１１）に外力を受けるときに、その外力に応じて弾性変形することによりリテーナ基板受け部７３、及び、板状凸部７６を変位させることが可能である。
【００５１】
従って、基板係合部（縦枠体７１、リテーナ脚部７２、リテーナ基板受け部７３、接続部７４、及び、板状凸部７６）は、蓋体３と、基板収納空間２７に収納された基板Ｗの縁部と、の間で弾性変形可能であり、基板Ｗに形成され基板Ｗの周方向における基板Ｗの方向を示す方向認識部としてのノッチ部Ｗ１１に係合可能である。
【００５２】
上記構成の本実施形態に係る基板収納容器１によれば、以下のような効果を得ることができる。上述のように、基板収納容器１は、容器本体２と、蓋体３と、基板係合部としてのリテーナ７とを備える。容器本体２は、一端部に容器本体開口部２１が形成され他端部が閉塞された筒状の壁部２０を備える。容器本体２には、壁部２０の内面によって、複数の基板Ｗを収納可能であり容器本体開口部２１に連通する基板収納空間２７が形成されている。蓋体３は、容器本体開口部２１に対して着脱可能であり、容器本体開口部２１を閉塞可能であり、容器本体開口部２１が閉塞されているときに基板収納空間２７に対向する。基板係合部としてのリテーナ７は、蓋体３と、基板収納空間２７に収納された基板Ｗの縁部と、の間で弾性変形可能であり、基板Ｗに形成され基板Ｗの周方向における基板Ｗの方向を示す方向認識部としてのノッチ部Ｗ１１に係合可能である。
【００５３】
この構成により、蓋体３と、基板収納空間２７に収納された基板Ｗの縁部と、の間で、基板係合部としてのリテーナ７が弾性変形した状態で、基板係合部を構成する板状凸部７６は、方向認識部としてのノッチ部Ｗ１１に係合することができる。即ち、ほとんど変形しない蓋体３や壁部２０に対して、板状凸部７６等により構成される基板係合部は、弾性を有しており、弾性的にノッチ部Ｗ１１に係合することができ、板状凸部７６がノッチ部Ｗ１１に強い力で当接することを抑えることができる。この結果、基板Ｗのノッチ部Ｗ１１を損傷することなく、基板Ｗの回転を確実に防止することができる。
【００５４】
また、基板係合部は、蓋体側基板支持部としての縦枠体７１、リテーナ脚部７２、リテーナ基板受け部７３、及び、接続部７４と、基板位置決め当接部としての板状凸部７６と、を有する。蓋体側基板支持部は、弾性変形可能であり、蓋体３の部分であって蓋体３によって容器本体開口部２１が閉塞されているときに基板収納空間２７に対向する部分に配置される。そして、蓋体側基板支持部は、蓋体３によって容器本体開口部２１が閉塞されているときに、複数の基板Ｗの縁部を支持可能である。基板位置決め当接部は、蓋体側基板支持部の接続部７４に存在し、方向認識部としてのノッチ部Ｗ１１に係合する。
【００５５】
この構成により、蓋体側基板支持部としての縦枠体７１、リテーナ脚部７２、リテーナ基板受け部７３、及び、接続部７４は、弾性変形して基板Ｗの周縁部を支持すると共に、接続部７４は、弾性的に板状凸部７６を支持することができる。このため、板状凸部７６は、蓋体３に対して変位可能に基板Ｗのノッチ部Ｗ１１に係合することができる。このため、基板Ｗのノッチ部Ｗ１１を損傷することなく、基板Ｗの回転を確実に防止することができる。
【００５６】
また、蓋体側基板支持部としてのリテーナ７のリテーナ基板受け部７３は、基板Ｗの周方向における少なくとも基板Ｗの周縁部の２箇所において、基板Ｗの周縁部を支持する。基板位置決め当接部としての板状凸部７６は、基板Ｗの周方向における、基板Ｗの周縁部の２箇所を支持する蓋体側基板支持部を構成するリテーナ基板受け部７３の間の中央部位置に存在する。
【００５７】
この構成により、基板Ｗの周縁部の２箇所において、リテーナ７のリテーナ基板受け部７３が、基板Ｗの周縁部を支持するため、基板Ｗのノッチ部Ｗ１１に板状凸部７６が強く係合することを緩和することができる。また、基板Ｗの周縁部の２箇所において、リテーナ７のリテーナ基板受け部７３が、基板Ｗの周縁部を均等に支持することができるため、基板Ｗが回転しようとする力を抑えることができる。
【００５８】
また、方向認識部は、基板Ｗの周縁の一部に形成されたノッチ部Ｗ１１により構成されている。基板位置決め当接部は、ノッチ部Ｗ１１に係合する板状凸部７６により構成されている。この構成により、比較的破損しやすいノッチ部Ｗ１１に係合する板状凸部７６に対して、常に確実に板状凸部７６が係合して、基板Ｗの回転を防止することができる。
【００５９】
次に、本発明の第２実施形態による基板収納容器について図５を参照しながら説明する。図５は、本発明の第２実施形態に係る基板収納容器のリテーナ７Ａの直方体凸部７６Ａがオリフラ部Ｗ１１Ａに係合している様子を示す断面図である。
【００６０】
第２実施形態による基板収納容器では、基板位置決め当接部の構成が、第１実施形態による基板収納容器１の基板位置決め当接部としての板状凸部７６とは異なる。また、基板Ｗは、方向認識部としての、基板Ｗの周縁の一部が直線状に形成されて構成された直線状縁部としてのオリフラ部Ｗ１１Ａを有している。これ以外の構成については、第１実施形態による基板収納容器１の構成と同様であるため、第１実施形態における各構成と同様の構成については、同様の符号を付して説明を省略する。
【００６１】
図５に示すように、基板位置決め当接部は、直線状縁部当接部としての直方体形状を有する直方体凸部７６Ａにより構成されている。直方体凸部７６Ａは、上下方向Ｄ２に直交する断面が長方形状を有している。直方体凸部７６Ａは、縦枠体７１、リテーナ脚部７２、リテーナ基板受け部７３、及び、接続部７４と同一の材料により構成されており、直方体凸部７６Ａの底面は、左右方向Ｄ３におけるリテーナ７Ａの接続部７４の中央部に一体成形されることにより接続されている。直方体凸部７６Ａは、リテーナ７Ａの接続部７４から、リテーナ基板受け部７３によって支持される基板Ｗの中心へ向って延出しており、直方体凸部７６Ａの延出端部（先端部）を構成する先端面７７Ａから、リテーナ基板受け部７３によって支持される基板Ｗの中央までの距離は、基板Ｗの周縁であって、オリフラ部Ｗ１１Ａ以外の周縁における基板Ｗの半径よりも短い。このため、リテーナ基板受け部７３によって基板Ｗが支持されているときに、直方体凸部７６Ａの先端面７７Ａは、オリフラ部Ｗ１１Ａに当接して係合する。
【００６２】
上記構成の本実施形態に係る基板収納容器によれば、以下のような効果を得ることができる。上述のように、方向認識部は、基板Ｗの周縁の一部が直線状に形成されて構成される直線状縁部としてのオリフラ部Ｗ１１Ａにより構成されている。基板位置決め当接部は、直線状縁部としてのオリフラ部Ｗ１１Ａに係合する直線状縁部当接部としての直方体凸部７６Ａにより構成されている。
【００６３】
この構成により、基板Ｗの周縁部の一部が、基板Ｗの半径方向に直交する方向に切り欠かれた形状を有する直線状縁部としてのオリフラ部Ｗ１１Ａに、直方体凸部７６Ａの先端面７７Ａは、面で当接することにより、係合可能である。この係合により、基板Ｗの回転を確実に防止することができる。
【００６４】
次に、本発明の第３実施形態による基板収納容器について図６を参照しながら説明する。図６は、本発明の第３実施形態に係る基板収納容器の奥壁凸部２２１Ｂがノッチ部Ｗ１１に係合している様子を示す概略断面図である。
【００６５】
第３実施形態による基板収納容器では、基板係合部の構成が、第１実施形態による基板収納容器１の基板係合部（リテーナ７）の構成とは異なる。これ以外の構成については、第１実施形態による基板収納容器１の構成と同様であるため、第１実施形態における各構成と同様の構成については、同様の符号を付して説明を省略する。
【００６６】
基板係合部は、弾性変形可能であり壁部２０の奥壁２２に固定され方向認識部としてのノッチ部Ｗ１１に係合する、基板位置決め当接部を有する。具体的には、基板係合部を構成する基板位置決め当接部は、弾性変形可能なゴム等により構成される奥壁凸部２２１Ｂを有している。奥壁凸部２２１Ｂは、奥壁２２に一体成形されて接続されており、基板収納空間２７を形成している奥壁２２の内面から、前方向Ｄ１１へ向って突出しており、左右方向Ｄ３における奥壁２２の中央において、上下方向Ｄ２に沿って奥壁２２の上端部近傍から下端部近傍に至るまで延びている。
【００６７】
上記構成の本実施形態に係る基板収納容器によれば、以下のような効果を得ることができる。上述のように、基板係合部は、弾性変形可能であり壁部２０の奥壁２２に固定され方向認識部としてのノッチ部Ｗ１１に係合する、基板位置決め当接部としての奥壁凸部２２１Ｂを有する。この構成により、基板Ｗの周縁から基板Ｗの中心へ向って窪む形状を有するノッチ部Ｗ１１に、壁部２０を構成する奥壁２２に存在する奥壁凸部２２１Ｂの延出端部（先端部）が係合し、基板Ｗの回転を防止することができる。
【００６８】
次に、本発明の第４実施形態による基板収納容器について図７を参照しながら説明する。図７は、本発明の第４実施形態に係る基板収納容器１Ｃのリテーナ８の板状凸部８６がノッチ部Ｗ１１に係合している様子を示す断面図である。
【００６９】
第４実施形態による基板収納容器１Ｃでは、奥壁２２にリテーナ８が存在し、リテーナ８は、ノッチ部Ｗ１１に係合する板状凸部８６を有する点で、第１実施形態による基板収納容器１の構成とは異なる。これ以外の構成については、第１実施形態による基板収納容器１の構成と同様であるため、第１実施形態における各構成と同様の構成については、同様の符号を付して説明を省略する。
【００７０】
図７に示すように、基板係合部としてのリテーナ８は、縦枠体８１と、リテーナ脚部８２と、リテーナ基板受け部８３と、接続部８４と、基板位置決め当接部としての板状凸部８６とを有している。縦枠体８１、リテーナ脚部８２、リテーナ基板受け部８３、及び、接続部８４は、奥側基板支持部を構成する。
【００７１】
奥側基板支持部（縦枠体８１、リテーナ脚部８２、リテーナ基板受け部８３、及び、接続部８４）は、弾性変形可能であり、基板収納空間２７内において蓋体側基板支持部（縦枠体７１、リテーナ脚部７２、リテーナ基板受け部７３、及び、接続部７４）と対をなすように配置される。奥側基板支持部は、複数の基板Ｗの縁部を支持可能であり、蓋体３によって容器本体開口部２１が閉塞されているときに蓋体側基板支持部（縦枠体７１、リテーナ脚部７２、リテーナ基板受け部７３、及び、接続部７４）と協働して、複数の基板Ｗを並列させた状態で、複数の基板Ｗを支持する。基板位置決め当接部としての板状凸部８６は、奥側基板支持部を構成する接続部８４に存在し、方向認識部としてのノッチ部Ｗ１１に係合する。
【００７２】
具体的には、縦枠体８１、リテーナ脚部８２、及びリテーナ基板受け部８３は、弾性変形可能な樹脂により一体成形され、互いに接続されている。リテーナ８は、上下方向Ｄ２で見て図７に示すような形状を有している。即ち、縦枠体８１は、縦枠体７１と同様に、左方向Ｄ３１側のリテーナ８の端部及び右方向Ｄ３２側のリテーナ８の端部において、上下方向Ｄ２に沿って平行に延びている。
【００７３】
左方向Ｄ３１側のリテーナ脚部８２は、左方向Ｄ３１側の縦枠体８１からほぼ前方向Ｄ１１に沿って延びる。続いて、左方向Ｄ３１側のリテーナ脚部８２は、前方向Ｄ１１側の端部で右方向Ｄ３２に屈曲する。そして、左方向Ｄ３１側のリテーナ脚部８２は、その先端部において、左方向Ｄ３１側のリテーナ基板受け部８３の左方向Ｄ３１側の端部に接続されている。
【００７４】
一方、右方向Ｄ３２側のリテーナ脚部８２は、右方向Ｄ３２側の縦枠体８１からほぼ前方向Ｄ１１に沿って延びる。続いて、右方向Ｄ３２側のリテーナ脚部８２は、前方向Ｄ１１側の端部で左方向Ｄ３１に屈曲する。そして、右方向Ｄ３２側のリテーナ脚部８２は、その先端部において、右方向Ｄ３２側のリテーナ基板受け部８３の右方向Ｄ３２側の端部に接続されている。
【００７５】
リテーナ基板受け部８３は、奥壁２２内側の面から前方向Ｄ１１に所定の間隔を置いた位置に配置されており、基板Ｗの周方向における基板Ｗの周縁部の２箇所において、基板Ｗの周縁部を支持する。
【００７６】
左方向Ｄ３１側のリテーナ基板受け部８３の右方向Ｄ３２側の端部と、右方向Ｄ３２側のリテーナ基板受け部８３の左方向Ｄ３１側の端部とは、接続部８４によって互いに接続されている。
接続部８４は、左方向Ｄ３１側のリテーナ基板受け部８３の右方向Ｄ３２側の端部に接続された左方向Ｄ３１側の端部から、すぐに後方向Ｄ１２に屈曲してほぼ後方向Ｄ１２に沿って延びる。続いて、接続部８４は、奥壁２２の内側の面から前方向Ｄ１１にまだ間隔を置いた位置で屈曲してほぼ右方向Ｄ３２に沿って延びる。続いて、接続部８４は、再び屈曲してほぼ前方向Ｄ１１に沿って延びる。そして、接続部８４は、その先端部において、ほぼ右方向Ｄ３２に屈曲して右方向Ｄ３２側のリテーナ基板受け部８３の左方向Ｄ３１側の端部に接続されている。
【００７７】
左右方向Ｄ３における接続部８４の中央には、基板位置決め当接部としての板状凸部８６が存在する。板状凸部８６は、基板Ｗの周方向における、基板Ｗの周縁部の２箇所を支持するリテーナ基板受け部８３の間の中央部位置に存在する。
【００７８】
具体的には、板状凸部８６は、縦枠体８１、リテーナ脚部８２、リテーナ基板受け部８３、及び、接続部８４と同一の材料により構成されており、略楔形状を有しており、接続部８４と一体成形されている。板状凸部８６は、図７に示すように、接続部８４から、リテーナ基板受け部８３によって支持される基板Ｗの中心へ向って延出しており、板状凸部８６の延出端部（先端部）は、基板Ｗの周縁よりも基板Ｗの中心寄りに位置している。このため、基板Ｗの周縁から基板Ｗの中心へ向って窪む形状を有するノッチ部Ｗ１１に、板状凸部８６の延出端部（先端部）は、係合可能である。
【００７９】
接続部８４は、弾性変形部８４１を構成する。即ち、接続部８４は、左右方向Ｄ３における接続部８４の両側部において、奥壁２２の内面から前方向Ｄ１１へ延びる一対のガイド壁２２２Ｃにそれぞれ当接した状態でガイドされて、前後方向Ｄ１へ変位可能である。そして、接続部８４は、リテーナ基板受け部８３が奥壁２２の内側の面に対して接近する方向（後方向Ｄ１２）に外力を受けるときに、その外力に応じて弾性変形することによりリテーナ基板受け部８３、及び、板状凸部８６を変位させることが可能である。
【００８０】
従って、基板係合部（縦枠体８１、リテーナ脚部８２、リテーナ基板受け部８３、接続部８４、及び、板状凸部８６）は、壁部２０を構成する奥壁２２と、基板収納空間２７に収納された基板Ｗの縁部と、の間で弾性変形可能であり、基板Ｗに形成され基板Ｗの周方向における基板Ｗの方向を示す方向認識部としてのノッチ部Ｗ１１に係合可能である。
【００８１】
上記構成の本実施形態に係る基板収納容器によれば、以下のような効果を得ることができる。上述のように、基板収納容器１Ｃは、蓋体３の部分であって蓋体３によって容器本体開口部２１が閉塞されているときに基板収納空間２７に対向する部分に配置され、蓋体３によって容器本体開口部２１が閉塞されているときに、複数の基板Ｗの縁部を支持可能な蓋体側基板支持部としてのリテーナ基板受け部７３を備える。
基板係合部は、奥側基板支持部（縦枠体８１、リテーナ脚部８２、リテーナ基板受け部８３、及び、接続部８４）と、基板位置決め当接部（板状凸部８６）と、を有する。奥側基板支持部は、弾性変形可能であり基板収納空間２７内において蓋体側基板支持部（縦枠体７１、リテーナ脚部７２、リテーナ基板受け部７３、及び、接続部７４）と対をなすように配置され、複数の基板Ｗの縁部を支持可能であり、蓋体３によって容器本体開口部２１が閉塞されているときに蓋体側基板支持部と協働して、複数の基板Ｗを並列させた状態で、複数の基板Ｗを支持する。基板位置決め当接部を構成する板状凸部８６は、奥側基板支持部を構成する接続部８４に存在し、方向認識部としてのノッチ部Ｗ１１に係合する。奥側基板支持部を構成するリテーナ基板受け部８３は、基板Ｗの周方向における少なくとも基板Ｗの周縁部の２箇所において、基板Ｗの周縁部を支持する。基板位置決め当接部を構成する板状凸部８６は、基板Ｗの周方向における、基板Ｗの周縁部の２箇所を支持する奥側基板支持部（リテーナ基板受け部８３）の間の中央部位置に存在する。
【００８２】
この構成により、奥側基板支持部としての縦枠体８１、リテーナ脚部８２、リテーナ基板受け部８３、及び、接続部８４は、弾性変形して基板Ｗの周縁部を支持すると共に、接続部８４は、弾性的に板状凸部８６を支持することができる。このため、板状凸部８６は、壁部２０を構成する奥壁２２に対して変位可能に基板Ｗのノッチ部Ｗ１１に係合することができる。このため、基板Ｗのノッチ部Ｗ１１を損傷することなく、基板Ｗの回転を確実に防止することができる。
【００８３】
本発明は、上述した実施形態に限定されることはなく、特許請求の範囲に記載された技術的範囲において変形が可能である。例えば、基板係合部の構成は、上述の実施形態の構成に限定されない。例えば、第１実施形態及び第２実施形態においては、方向認識部としてのノッチ部Ｗ１１、オリフラ部Ｗ１１Ａに係合する基板位置決め当接部として直方体凸部７６Ａ、板状凸部７６は、蓋体側基板支持部としての接続部７４に存在していたが、この構成に限定されない。
【００８４】
また、上述の実施形態においては、基板位置決め当接部を構成する直方体凸部７６Ａ、板状凸部７６は、蓋体側基板支持部としての接続部７４に一体成形されて接続され、また、奥壁凸部２２１Ｂは、奥壁２２に一体成形されて接続されていたが、この構成に限定されない。例えば、基板位置決め当接部は、蓋体側基板支持部や壁部に対して着脱可能に構成されていてもよい。
【００８５】
また、蓋体側基板支持部としてのリテーナ基板受け部７３は、基板Ｗの周方向における基板Ｗの周縁部の２箇所において、基板Ｗの周縁部を支持していたが、この構成に限定されない。蓋体側基板支持部は、基板Ｗの周方向における少なくとも基板Ｗの周縁部の２箇所において、基板Ｗの周縁部を支持していればよい。
【００８６】
また、第３実施形態では、奥壁２２に基板係合部としての奥壁凸部２２１Ｂが存在していたが、この構成に限定されない。奥壁２２以外の壁部の部分、例えば、基板係合部は、第１側壁等に存在していてもよい。また、奥壁凸部２２１Ｂは、左右方向Ｄ３における奥壁２２の中央において、上下方向Ｄ２に沿って奥壁２２の上端部近傍から下端部近傍に至るまで延びていたが、この構成に限定されない。例えば、奥壁凸部は、各基板Ｗのノッチ部Ｗ１１に係合可能な位置に、各基板Ｗのノッチ部Ｗ１１に一対一対応で、１つずつ個別に形成されていてもよい。
【００８７】
また、基板位置決め当接部を構成する直方体凸部７６Ａ、板状凸部７６は、蓋体側基板支持部を構成する縦枠体７１、リテーナ脚部７２、リテーナ基板受け部７３、及び、接続部７４に支持されていたが、この構成に限定されない。例えば、蓋体側基板支持部は、スプリング等により構成されて、基板位置決め当接部を蓋体３に対して支持してもよい。
【００８８】
また、直方体凸部７６Ａ、板状凸部７６は、縦枠体７１、リテーナ脚部７２、リテーナ基板受け部７３、及び、接続部７４と同一の材料により、一体成形されて接続されていたが、この構成に限定されない。例えば、直方体凸部７６Ａ、板状凸部７６は、ゴム等により構成され、縦枠体７１、リテーナ脚部７２、リテーナ基板受け部７３、及び、接続部７４とは、異なる材料により構成されていてもよい。
【００８９】
また、容器本体及び蓋体の形状や、容器本体に収納可能な基板Ｗの枚数、寸法は、本実施形態における容器本体２及び蓋体３の形状や、容器本体２に収納可能な基板Ｗの枚数、寸法に限定されない。
【符号の説明】
【００９０】
１  基板収納容器
２  容器本体
３  蓋体
２０  壁部
２１  容器本体開口部
２７  基板収納空間
７１  縦枠体（基板係合部、蓋体側基板支持部）
７２  リテーナ脚部（基板係合部、蓋体側基板支持部）
７３  リテーナ基板受け部（基板係合部、蓋体側基板支持部）
７４  接続部（基板係合部、蓋体側基板支持部）
７６  板状凸部（基板係合部、基板位置決め当接部）
７６Ａ  直方体凸部（基板係合部、基板位置決め当接部）
８１  縦枠体（基板係合部、奥側基板支持部）
８２  リテーナ脚部（基板係合部、奥側基板支持部）
８３  リテーナ基板受け部（基板係合部、奥側基板支持部）
８４  接続部（基板係合部、奥側基板支持部）
８６  板状凸部（基板係合部、基板位置決め当接部）
２２１Ｂ  奥壁凸部（基板係合部、基板位置決め当接部）
Ｗ  基板
Ｗ１１  ノッチ部
Ｗ１１Ａ  オリフラ部
【図１】
2016149492.tif 000003
【図２】
2016149492.tif 000004
【図３】
2016149492.tif 000005
【図４】
2016149492.tif 000006
【図５】
2016149492.tif 000007
【図６】
2016149492.tif 000008
【図７】
2016149492.tif 000009